【事件の表示】
　特願２０１３−１３７１３９「ブロー成形方法および複合容器」拒絶査定不服審判事件〔平成２７年　１月１９日出願公開、特開２０１５−　　９４９４〕について、次のとおり審決する。
【結　論】
　本件審判の請求は、成り立たない。
【理　由】
第１　手続の経緯
　　
　本願は、平成２５年　６月２８日の出願であって、その後の手続の概要は、以下のとおりである。
　　
　平成２９年　４月１８日付け：拒絶理由通知書
　平成２９年　６月１９日　　：意見書及び手続補正書の提出
　平成２９年１１月２８日付け：拒絶理由（最後の拒絶理由）通知書
　平成３０年　３月２９日　　：意見書及び手続補正書の提出
　平成３０年　８月２９日付け：平成３０年　３月２９日にされた手続補正
　　　　　　　　　　　　　　　についての補正の却下の決定及び拒絶査定
　平成３０年１２月　３日　　：審判請求書及び手続補正書の提出
　　
第２　平成３０年１２月　３日にされた手続補正についての補正の却下の決定
　　
［補正の却下の決定の結論］
　平成３０年１２月　３日にされた手続補正（以下、「本件補正」という。）を却下する。
　　
［理由］
１　本件補正について（補正の内容）
　
（１）本件補正後の特許請求の範囲の請求項８の記載
　本件補正後の特許請求の範囲のうち、請求項８の記載は次のとおりである。（下線部は、補正箇所である。）
　
「【請求項８】
　複合容器において、
　
ポリエチレンテレフタレート
　容器本体の外側に密着して設けられた、
熱
であってポリエチレンテレフタレートよりもガスバリア性の低い熱可塑性樹脂
　容器本体および外側収縮部材は、一体として膨張された状態となっている一体ブロー成形品であり、
　外側収縮部材は、少なくとも長手方向の一端が開口した筒状の部分を有し、
　外側収縮部材は、容器本体の外面に接着されることなく取付けられており、容器本体に対し
て密
　　
（２）本件補正前の特許請求の範囲の請求項８の記載
　本件補正前の、平成２９年　６月１９日にされた手続補正により補正された特許請求の範囲のうち、請求項８の記載は次のとおりである。
　
「【請求項８】
　複合容器において、
　プラスチック材料製の容器本体と、
　容器本体の外側に密着して設けられた、収縮性をもつ材料からなる外側収縮部材とを備え、
　容器本体および外側収縮部材は、一体として膨張された状態となっている一体ブロー成形品であり、
　外側収縮部材は、少なくとも長手方向の一端が開口した筒状の部分を有し、
　外側収縮部材は、容器本体の外面に接着されることなく取付けられており、容器本体に対して移動又は回転しないほどに密着されていることを特徴とする複合容器。」
　　
２　補正の適否
（１）新規事項について
ア　上記請求項８における補正箇所のうちの「外側収縮部材」の材料を、「熱収縮性をもつ材料であってポリエチレンテレフタレートよりもガスバリア性の低い熱可塑性樹脂」と特定する点（以下、この点を「補正事項」という。）について検討すると、以下述べるように、当該補正事項は、願書に最初に添付した明細書、特許請求の範囲又は図面に記載した事項の範囲内においてしたものでなく、特許法第１７条の２第３項に規定する要件を満たしていない。
イ　当初明細書等に記載された事項
　本願の願書に最初に添付した明細書、特許請求の範囲又は図面（以下、これらを「当初明細書等）という。）において、「外側収縮部材」についての記載を確認すると以下の記載がある。
・「【技術分野】
【０００１】
本発明は、主として飲食品等の内容液を収容する複合容器および複合容器を成形するためのブロー成形方法に関する。」
・「【０００５】
【特許文献１】特開２００９−２４１５２６号公報
【発明の概要】
【発明が解決しようとする課題】
【０００６】
　本発明はこのような点を考慮してなされたものであり、容器に対して様々な機能や特性を付与することが可能な、ブロー成形方法および複合容器を提供することを目的とする。
【課題を解決するための手段】
　・・・
【００１４】
　本発明は、複合容器において、プラスチック材料製の容器本体と、容器本体の外側に密着して設けられた外側収縮部材とを備え、容器本体および外側収縮部材は、ブロー成形により一体として膨張されていることを特徴とする複合容器である。
【００１５】
　本発明は、容器本体は、口部と首部と肩部と胴部と底部とを有し、外側収縮部材は、容器本体の首部と肩部と胴部と底部とを覆うように設けられることを特徴とする複合容器である。
【００１６】
　本発明は、容器本体は、口部と首部と肩部と胴部と底部とを有し、外側収縮部材は、容器本体の首部、肩部、胴部および底部のうちその一部を覆うように設けられることを特徴とする複合容器である。
【００１７】
　本発明は、外側収縮部材は、ガスバリア性又は光線バリア性を有することを特徴とする複合容器である。
【００１８】
　本発明は、外側収縮部材には、予めデザイン又は印字が施されていることを特徴とする複合容器である。
【００１９】
　本発明は、外側収縮部材は、容器本体を構成するプラスチック材料よりも保温性又は保冷性の高い材料からなることを特徴とする複合容器である。
【００２０】
　本発明は、外側収縮部材は、容器本体を構成するプラスチック材料よりも滑りにくい材料からなることを特徴とする複合容器である。」
・「【００２５】
　図１および図２に示す複合容器１０Ａは、後述するように、ブロー成形金型５０を用いてプリフォーム１０ａおよび外側収縮部材４０に対して２軸延伸ブロー成形を施すことにより、プリフォーム１０ａおよび外側収縮部材４０を一体として膨張させて得られたものである。
【００２６】
　このような複合容器１０Ａは、内側に位置するプラスチック材料製の容器本体１０と、容器本体１０の外側に密着して設けられた外側収縮部材４０とを備えている。」
・「【００３５】
　このような容器本体１０は、合成樹脂材料を射出成形して製作したプリフォーム１０ａ（後述）を二軸延伸ブロー成形することにより作製することができる。なおプリフォーム１０ａ、すなわち容器本体１０の材料としては熱可塑性樹脂、特にＰＥ（ポリエチレン）、ＰＰ（ポリプロピレン）、ＰＥＴ（ポリエチレンテレフタレート）、ＰＥＮ（ポリエチレンナフタレート）を使用することが好ましい。」
・「【００３８】
　次に外側収縮部材４０について説明する。外側収縮部材４０は後述するようにプリフォーム１０ａの外側に設けられ、このプリフォーム１０ａと一体となって加熱され、２軸延伸ブロー成形されることにより得られたものである。
【００３９】
　外側収縮部材４０は、プリフォーム１０ａの外面に接着されることなく取付けられており、プリフォーム１０ａに対して移動又は回転しないように密着されている。外側収縮部材４０は、プリフォーム１０ａを取り囲むようにその周方向全域にわたって設けられており、円形状の水平断面を有している。
　・・・
【００４２】
　このような外側収縮部材４０としては、プリフォーム１０ａに対して収縮する作用をもつものであれば良い。なお、外側収縮部材４０は、それ自体が収縮性ないし弾力性を持ち、外的な作用を加えることなく収縮可能なものであっても良い。あるいは、外側収縮部材４０は、外的な作用（例えば熱）が加えられた際、プリフォーム１０ａに対して収縮（例えば熱収縮）するものであっても良い。
・・・
【００４４】
　外側収縮部材４０としては、以下に説明するように、各種材料を用いることができる。
【００４５】
　例えば、外側収縮部材４０が容器本体１０（プリフォーム１０ａ）と同一の材料からなっていても良い。この場合、複合容器１０Ａのうち、例えば強度を高めたい部分に重点的に外側収縮部材４０を配置し、当該箇所の強度を選択的に高めることができる。例えば、容器本体１０の肩部１２周辺および底部３０周辺に外側収縮部材４０を設け、この部分の強度を高めても良い。このような材料としては、熱可塑性樹脂、特にＰＥ（ポリエチレン）、ＰＰ（ポリプロピレン）、ＰＥＴ（ポリエチレンテレフタレート）、ＰＥＮ（ポリエチレンナフタレート）を挙げることができる。
【００４６】
　また外側収縮部材４０は、酸素バリア性又は水蒸気バリア性等のガスバリア性を有する材料からなっていても良い。この場合、プリフォーム１０ａとして多層プリフォームやブレンド材料を含むプリフォーム等を用いることなく、複合容器１０Ａのガスバリア性を高め、酸素や水蒸気によって内容液が劣化することを防止することができる。例えば、容器本体１０のうち、肩部１２、首部１３、胴部２０および底部３０の全域に外側収縮部材４０を設け、この部分のガスバリア性を高めても良い。このような材料としては、ＰＥ（ポリエチレン）、ＰＰ（ポリプロピレン）、ＭＸＤ−６（ナイロン）、またはこれらの材料に脂肪酸塩などの酸素吸収材を混ぜることも考えられる。
【００４７】
　また外側収縮部材４０は、紫外線等の光線バリア性を有する材料からなっていても良い。この場合、プリフォーム１０ａとして多層プリフォームやブレンド材料を含むプリフォーム等を用いることなく、複合容器１０Ａの光線バリア性を高め、紫外線等により内容液が劣化することを防止することができる。例えば、容器本体１０のうち、肩部１２、首部１３、胴部２０および底部３０の全域に外側収縮部材４０を設け、この部分の紫外線バリア性を高めても良い。このような材料としては、ブレンド材料、またはＰＥＴやＰＥ、ＰＰに遮光性樹脂を添加した材料が考えられる。
【００４８】
　また外側収縮部材４０は、容器本体１０（プリフォーム１０ａ）を構成するプラスチック材料よりも保温性又は保冷性の高い材料（熱伝導性の低い材料）からなっていても良い。この場合、容器本体１０そのものの厚みを厚くすることなく、内容液の温度が複合容器１０Ａの表面まで伝達しにくくすることが可能となる。これにより、複合容器１０Ａの保温性又は保冷性が高められる。例えば、容器本体１０のうち胴部２０の全部又は一部に外側収縮部材４０を設け、胴部２０の保温性又は保冷性を高めても良い。また、使用者が複合容器１０Ａを把持した際、熱すぎたり冷たすぎたりすることにより複合容器１０Ａを持ちにくくなることが防止される。このような材料としては、発泡化したポリウレタン、ポリスチレン、ＰＥ（ポリエチレン）、ＰＰ（ポリプロピレン）、フェノール樹脂、ポリ塩化ビニル、ユリア樹脂、シリコーン、ポリイミド、メラミン樹脂などが考えられる。
【００４９】
　また外側収縮部材４０は、容器本体１０（プリフォーム１０ａ）を構成するプラスチック材料よりも滑りにくい材料からなっていても良い。この場合、容器本体１０の材料を変更することなく、使用者が複合容器１０Ａを把持しやすくすることができる。例えば、容器本体１０のうち胴部２０の全部又は一部に外側収縮部材４０を設け、胴部２０を持ちやすくしても良い。
【００５０】
　さらに外側収縮部材４０には、予めデザイン又は印字が施されていても良い。この場合、ブロー成形後に容器本体１０に対して別途ラベル等を付与することなく、複合容器１０Ａに画像や文字を表示することが可能となる。例えば、容器本体１０のうち胴部２０の全部又は一部に外側収縮部材４０を設け、胴部２０に画像や文字を表示しても良い。この場合、外側収縮部材４０の材料としては、容器本体１０と同一のものを用いても良く、容器本体１０と異なるものを用いても良い。」
・「【００５６】
　このように、外側収縮部材４０が加熱されることにより、外側収縮部材４０が熱収縮し、プリフォーム１０ａの外側に密着する（図３（ｃ）参照）。なお、外側収縮部材４０自体が収縮性を有する場合、プリフォーム１０ａの外側に外側収縮部材４０を設けた時点（図３（ｂ）参照）で外側収縮部材４０がプリフォーム１０ａの外側に密着していても良い。」
・「【００６５】
　
実施例
　次に本実施の形態の具体的実施例について説明する。
【００６６】
　まず射出成形法により１８．３ｇのＰＥＴ単層プリフォームからなるプリフォーム１０ａを製作した。
【００６７】
　次に、このプリフォーム１０ａに対して外側収縮部材４０を設置した状態で２軸延伸ブロー成形することにより、容量１８０ｍＬの複合容器１０Ａを得た。外側収縮部材４０としては、ポリオレフィンを用いた。」
　
ウ　判断
　「外側収縮部材」について、段落【００４５】には、容器本体と同一の材料からなっていてもよい旨、また、具体的材料としてＰＥ、ＰＰ、ＰＥＴ、ＰＥＮが記載され、段落【００４６】には、酸素バリア性又は水蒸気バリア性等を有する材料からなっていてもよい旨、また、具体的材料としてＰＥ、ＰＰ、ＭＸＤ−６が記載され、段落【００４７】には、紫外線等の光線バリア性を有する材料からなっていてもよい旨、また、具体的材料としてブレンド材料、またはＰＥＴやＰＥ、ＰＰに遮光性樹脂を添加した材料が記載され、段落【００４８】には、容器本体を構成するプラスチック材料よりも保温性又は保冷性の高い材料からなっていてもよい旨、また、具体的材料として、発泡化したポリウレタン、ポリスチレン、ＰＥ（ポリエチレン）、ＰＰ（ポリプロピレン）、フェノール樹脂、ポリ塩化ビニル、ユリア樹脂、シリコーン、ポリイミド、メラミン樹脂が記載され、段落【００４９】には、容器本体を構成するプラスチック材料よりも滑りにくい材料からなっていてもよい旨記載されている。
　しかしながら、請求人が、補正の根拠として提示する段落【００３５】、【００４５】〜【００４８】、【００５６】を含め当初明細書等全体を見ても、「外側収縮部材」に関し「熱収縮性をもつ材料であってポリエチレンテレフタレートよりもガスバリア性の低い」という明示的な記載や、外側収縮部材の熱可塑性樹脂をポリエチレンテレフタレートよりもガスバリア性が低いとものとする旨の技術思想についての記載はなく、あるいは、記載されているものと同然であると考えるに足る根拠もない。
　また、当初明細書等の実施例（段落【００６５】〜【００６７】）においては、ＰＥＴ単層プリフォームと、ポリオレフィンからなる外側収縮部材とを用い複合容器を得る旨が記載されているものの、当該実施例が、「熱収縮性を持つポリエチレンテレフタレートよりもガスバリア性の低い熱可塑性樹脂からなる外側収縮部材」を利用したものといえるかどうかも不明であって、当該実施例を根拠に「熱収縮性をもつ材料であってポリエチレンテレフタレートよりもガスバリア性の低い熱可塑性樹脂からなる外側収縮部材」が当初明細書等に記載されているものと同然と考えるに足る理由も見い出せない。
　以上のとおり、当初明細書等には、前記補正事項についての記載も示唆もなく、また、本願出願時において、当業者にとって、そのことが自明なことでもない。そうすると、本件補正後の請求項８に記載された、「熱収縮性をもつ材料であってポリエチレンテレフタレートよりもガスバリア性の低い熱可塑性樹脂からなる外側収縮部材」とすることが、当初明細書等のすべての記載を総合することにより導かれる技術的事項との関係において、新たな技術的事項を導入しないものであるとはいえない。
　よって、本件補正は、願書に最初に添付した明細書、特許請求の範囲又は図面に記載した事項の範囲内においてしたものでなく、特許法第１７条の２第３項に規定する要件を満たしていない。
　
（２）独立特許要件について
　本件補正は、上記（１）で述べたことを理由として却下すべきものであると判断されるが、仮に、上記補正事項が新規事項の追加ではないとされた場合について検討する。
　本件補正のうちの請求項８の補正は、補正前の請求項８に記載された発明を特定するために必要な事項である容器本体及び外側収縮部材について、上記のとおり限定を付加するものであって、補正前の請求項８に記載された発明と補正後の請求項８に記載される発明の産業上の利用分野及び解決しようとする課題が同一であるから、特許法第１７条の２第５項第２号の特許請求の範囲の減縮を目的とするものに該当する。
　そうすると、請求項８についての補正が新規事項の追加ではなく限定的減縮を目的とするものであるといえるとしたときには、本件補正後の請求項８に記載されている事項により特定される発明（以下「本願補正発明」という。）が特許出願の際独立して特許を受けることができるものであるか（いわゆる独立特許要件違反の有無）についての検討がなされるべきところ、以下述べるように、本願補正発明は、特許出願の際独立して特許を受けることができるものではなく、本件補正は、当該要件に違反するといえる。
　すなわち、本願補正発明は、本願の出願日前に頒布された刊行物である下記引用文献Ａに記載された発明であるから、特許法第２９条第１項第３号に該当し、特許を受けることができないものである。
　　　　・引用文献Ａ：特表２００４−５３２１４７号公報
　
ア　本願補正発明
　本願補正発明は、上記１（１）に記載したとおりのものである。
　
イ　引用文献Ａに記載された事項
　引用文献Ａには、図面とともに次の記載がある。下線は【００３９】、【００４２】及び【００４３】に付されたもの以外は、当審で付したものである。
　　
・「【請求項１】
プレフォームの外面の少なくとも一部の上にラベルスリーブを配置してスリーブ付きプレフォームを製造せしめ；
そして前記スリーブ付きプレフォームをブロー成形してラベル付き容器を製造することを含んでなる、ブロー成形プロセスを用いてラベル付き容器を製造する方法。」
・「【００１７】
本発明において有用な好ましいラベルスリーブは、容器を製造するためのプレフォームのブロー成形前にプレフォームの上にフィットするように作られたゆがみ印刷ラベルスリーブである。このラベルスリーブは、インフレート用プレフォームと共に膨張する配向又は非配向（ｕｎｏｒｉｅｎｔｅｄ）ポリマーフィルム原料から製造する。」
・「【００２６】
プレフォームは、従来の射出成形法又は押出ブロー成形によって作ることができる。・・・射出成形プレフォームと同様に、本発明の延伸スリーブは、喰い切ったチューブ上にインフレーションの前に配置する。・・・
【００２７】 
本発明において使用するプレフォームは、ポリエステル、ポリオレフィン及びポリカーボネートのような従来の成形用ポリマーから形成する。ポリマーは単層又は多層であることができる。他のポリマーを使用して、多層容器の一部の層を形成することもできる。このようなポリマーは当業界で公知であり、リサイクルポリマー、例えばポリエステル、機能性ポリマー（ｐｅｒｆｏｒｍａｎｃｅ　ｐｏｌｙｍｅｒｓ）、例えばＥＶＯＨ及びポリアミド、全芳香族ポリエステル、ポリエーテル、ブレンド並びにそれらのコポリマーを含む。」
・「【００３３】
プレフォームは、当業界で公知の方法によって、例えば射出成形によって又はまれにはパイプ押出もしくはスエージングによって形成する。プレフォームはまず、Ｓｉｄｅｌ（商標）型の機械のような赤外線ランプのバンクを用いて、所望のブロー温度（
ＰＥＴプレフォームの場合には通常は約１００℃前後
・「【００３６】
ラベルは種々のポリマーから作ることができるので、現位置輪郭フィットラベルの使用はまた、他の機能的可能性を追加する。例えばラベルは容器の透過性の低下を促進するためにＥＶＯＨ又はメタジレンジアミン（「ＭＸＤ６」）のような高バリヤーポリマーから作ることができる（単層又は共押出により多層として）。ボトルとラベルとの密着度もまた、樹脂の選択によって左右され得る。
ＰＥＴボトルにＰＥＴラベルを用いた試験はかなりの密着を生じたが、ポリプロピレンラベルはＰＥＴボトルには貼り付こうとしなかった
・「【００３９】
例１
ＰＥＴスリーブを用いた２リットルボトル用輪郭ラベリング
インフレート法を用いて、わずかに配向されたＰＥＴ　１２８２２フィルムのスリーブを作った。これらのスリーブは、直径が１．４４インチであり、呼称厚さが４ｍｉｌであった。ラベリングをシミュレートするために、マジックインキを用いて試験前のスリーブにグリッドパターンを描いた。使用したプレフォームは、外径１．１５インチの２リットルボトル用プレフォームである。スリーブは、プレフォームよりもかなり大きかったが、これは試験時に使用できる唯一のスリーブ直径であった。
【００４０】
実験室規模のＲＨＢユニットを用いて、再加熱ブロー成形を行った。
プレフォームはまず、赤外線石英型ヒーターのバンクを用いて約１００℃の温度に加熱した。次に、プレフォームを速やかにブロー成形ステーションに移した。
金型を閉じる前に、スリーブはプレフォームを覆うように配置した。
熱プレフォームの熱をフィルムに移した。
プレフォームをブロー成形した。
【００４１】
金型から取り出すと、ラベルフィルムはボトルをほとんど完全に包み且つ輪郭の全てにタイトフィットしているのがわかった。最初のスリーブに描いたグリッドパターンは、ボトル中の延伸量（即ち、ネック部では少なく、側壁部では多い）に比例して膨張したので、ゆがみ印刷の補正がどの程度必要かがわかった。延伸後のラベルフィルムは、延伸量に応じて名目上約１／２ｍｉｌ又はそれ以下であった。
【００４２】
例２
ポロプロピレンスリーブを用いた２リットルボトル用輪郭ラベル
前記例１と同様な手法に従って、ＰＥＴの代わりにポリプロピレンを用いてインフレート法によってスリーブを作った。ポリプロピレンは、低コスト及び低密度のために既にラベルに最適の材料とされているので望ましい。ポリプロピレンは、呼称厚さ３ｍｉｌ及び幅１．６インチとした。例１と同様にボトルをブロー成形後、フィルムはボトルの輪郭にぴったりとフィットしているのがわかった。しかし、ＰＥＴラベルフィルムとは異なり、このフィルムはベースボトルに密着しなかったので、リサイクルの間に容易に剥がすことができる。」
　　
・「【図２】
」
ウ　引用文献Ａに記載された発明
　引用文献Ａの例２として記載されているブロー成形されたボトルとして、引用文献Ａには、以下の発明（以下、「引用発明Ａ」という。）が記載されていると認める。
＜引用発明Ａ＞
「プレフォームを赤外線石英型ヒーターのバンクを用いて約１００℃の温度に加熱し、当該プレフォームを速やかにブロー成形ステーションに移し、金型を閉じる前に、当該プレフォームを覆うようにポリプロピレンのスリーブを配置し、熱プレフォームの熱をスリーブに移して、プレフォームをブロー成形したボトル。」
エ　本願補正発明と引用発明Ａとの対比
　本願補正発明と引用発明Ａとを対比する。
　引用発明Ａの「プレフォームをブロー成形した」ボトル部分は、本願補正発明の「容器本体」に相当する。
　また、引用文献Ａには、引用発明Ａの「プレフォームをブロー成形したボトル」の材質についての言及はないが、「ＰＥＴラベルフィルムとは異なり、このフィルムはベースボトルに密着しなかったので、リサイクルの間に容易に剥がすことができる」（段落【００４２】）との記載があることと、「ＰＥＴボトルにＰＥＴラベルを用いた試験はかなりの密着を生じたが、ポリプロピレンラベルはＰＥＴボトルには貼り付こうとしなかった」（段落【００３６】）との記載、さらに、引用発明Ａの１００℃の加熱温度を踏まえると、引用発明Ａの「プレフォームをブロー成形したボトル」は「ポリエチレンテレフタレート製」のものといえる。
　引用発明Ａの「ポリプロピレンのスリーブ」の材質であるポリプロピレンは、本願の発明の詳細な説明に記載されている実施例におけるスリーブのポリオレフィンに属するものである。そうすると、スリーブの材質として「ポリオレフィン」を利用したときに「ポリエチレンテレフタレートよりもガスバリア性の低い熱可塑性樹脂」という本願補正発明の構成を充足するとすれば、引用発明Ａのポリプロピレンもまた「ポリエチレンテレフタレートよりもガスバリア性の低い熱可塑性樹脂」といえる。さらに、ポリプロピレンが熱収縮性があることは当業者にとって技術常識である。してみると、引用発明Ａの「ポリプロピレンのスリーブ」は、本願補正発明における「プリフォームの外側に設けられた、熱収縮性をもつ材料であってポリエチレンテレフタレートよりもガスバリア性の低い熱可塑性樹脂からなる外側収縮部材」に相当する。
　また、引用発明Ａの「スリーブ」は、本願補正発明における「少なくとも長手方向の一端が開口した筒状の部分を有」することは明らかである。
　さらに、引用発明Ａの「ボトル」は、プレフォームを覆うように配置し、熱プレフォームの熱をスリーブに移して、プレフォームをブロー成形して得られているから、本願補正発明における「容器本体および外側収縮部材は、一体として膨張された状態となっている一体ブロー成形品」といえるし、また、「容器本体の外面に接着されることなく取付けられており、容器本体に対して密着されている」との発明特定事項を有しているともいえる。
　よって、引用発明Ａの「ボトル」は、本願補正発明における「複合容器」に相当する。
　以上のとおり、本願補正発明と引用発明Ａとの間に相違点はないから、本願補正発明は、引用発明Ａ、すなわち引用文献Ａに記載された発明である。
　
オ　小括
　上記エのとおり、本願補正発明は、引用文献Ａに記載された発明であるから、特許法第２９条第１項第３号に該当し、特許出願の際独立して特許を受けることができないものである。
　　
（３）補正の適否についてのむすび
　よって、本件補正は、特許法第１７条の２第３項の規定に違反するものであり、同法第１５９条第１項の規定において読み替えて準用する同法第５３条第１項の規定により却下すべきものである。仮に、本件補正が、特許法第１７条の２第３項の規定に違反するものでないとしても、同法第１７条の２第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
　　
第３　本願発明について
　　
１　本願発明
　
　平成３０年１２月　３日にされた手続補正は、上記のとおり却下されたので、本願の請求項１ないし１４に係る発明は、平成２９年　６月１９日にされた手続補正により補正された特許請求の範囲の請求項１ないし１４に記載された事項により特定されるものであるところ、その請求項８に係る発明（以下、「本願発明」という。）は、その請求項８に記載された事項により特定される、前記第２［理由］１（２）に記載のとおりのものである。（なお、平成３０年　３月２９日にされた手続補正は、決定を持って却下されていて、この点について、請求人は争っていない。）
　　
２　原査定の拒絶の理由
　
　原査定の拒絶の理由は、
　この出願の請求項８に係る発明は、本願の出願前に頒布された又は電気通信回線を通じて公衆に利用可能となった下記の引用文献１又は６に記載された発明であるから、特許法第２９条第１項第３号に該当し、特許を受けることができないか、当該発明に基づいて、その出願前にその発明の属する技術の分野における通常の知識を有する者（以下、「当業者」という。）が容易に発明をすることができたものであるから、特許法第２９条第２項の規定により特許を受けることができない、との理由を含むものである。
　　
　引用文献１：特開２００９−２４１９７９号公報
　引用文献６：特開昭６４−３０７２９号公報
　　
３　引用文献１の記載等
　
（１）引用文献１に記載された事項
　引用文献１には、次の記載がある。
・「【特許請求の範囲】
【請求項１】
　熱可塑性樹脂からなる中空ボトルの外層表面に、下記の一般式（１）で表される１，２−ジオール構造単位を有するエチレン−酢酸ビニル共重合体ケン化物層を少なくとも１層有するフィルムが被覆密着してなる容器。
【化１】
［一般式（１）において、Ｒ1、Ｒ2、及びＲ3はそれぞれ独立して水素原子または有機基を示し、Ｘは単結合または結合鎖を示し、Ｒ4、Ｒ5、及びＲ6はそれぞれ独立して水素原子または有機基を示す。］」
・「【技術分野】
【０００１】
　本発明は、熱可塑性樹脂からなる中空ボトルの外層表面に、下記の一般式（１）で表される１，２−ジオール構造単位を有するエチレン−酢酸ビニル共重合体ケン化物層を少なくとも１層有するフィルムが被覆密着してなる容器に関するものである。
　・・・
【発明が解決しようとする課題】
【０００５】
　しかしながら、上記技術においてＥＶＯＨ樹脂層を有するフィルムを用いた場合、延伸後のヘイズは良好であるが、ＥＶＯＨ樹脂層に細かな延伸ムラやスジが発生してしまい、容器の鮮明性には改善の余地が残るものであった。
・・・　これは、ＥＶＯＨ樹脂層が外側に位置するために赤外線ヒーターなどの熱を受けやすく、プリフォームを加熱するに従って、通常のＥＶＯＨ樹脂は結晶化度が高くなるためであると予想され、ＥＶＯＨ樹脂層の結晶状態が乱れることによってスジが発生すると推定される。」
・「【００４６】
（容器の製造方法）
　本発明の容器は、代表的な延伸ブロー成形法で成形すればよい。
　例えば具体的には、まず上記熱可塑性樹脂を用い、胴部と口部を有する有底の成形物であるプリフォームを製造する。プリフォームを成形する方法としては、一般に押出成形、射出成形が適用されるが、生産効率の面から射出成形が好適な方法として挙げられる。
【００４７】
　次いで、かかるプリフォームを延伸ブロー成形するが、予めかかるプリフォームの表面に、下記の一般式（１）で表される１，２−ジオール構造単位を有するＥＶＯＨ樹脂層を少なくとも１層含有するフィルムを設置する。
　このとき、未延伸フィルムの形状は、プリフォームを被覆できる形状であればよい。例えば具体的には、平面状、筒状、袋状、チューブ状等がある。
【００４８】
　プリフォームにフィルムを被覆する方法としては、特に限定はないが、平面状のフィルムをプリフォームの胴部周囲に沿って筒状に巻き付けて被覆する方法、平面状フィルムをプリフォーム底部の上から凹状に被せてから胴部方向に巻きつける方法、プリフォーム胴部外径より大きい内径を有する筒状、袋状、チューブ状のフィルムをプリフォーム胴部に通して装着する方法などが挙げられる。
　・・・
【００５０】
　このように、フィルムで被覆されたプリフォームを直接そのまま、あるいは再加熱してブロー金型内で一定温度に保ちながら機械的に延伸し、同時あるいは逐次に加圧空気を吹き込んで、円周方向に膨らませることにより、フィルムとプリフォームが同時に延伸され、本発明の延伸フィルム被覆容器が得られる。」
　
（２）引用文献１に記載された発明
　引用文献１には、上記（１）に摘記した段落【００４６】〜【００５０】に記載されている被覆容器として、以下の発明（以下、「引用発明１」という。）が記載されていると認める。
＜引用発明１＞
「熱可塑性樹脂からなる胴部と口部を有する有底の成形物であるプリフォームの表面に、下記の一般式（１）で表される１，２−ジオール構造単位を有するＥＶＯＨ樹脂層を少なくとも１層含有する筒状、チューブ状のフィルムをプリフォーム胴部に通して装着し、再加熱してブロー金型内で一定温度に保ちながら機械的に延伸し、同時あるいは逐次に加圧空気を吹き込んで、円周方向に膨らませることにより、フィルムとプリフォームが同時に延伸された、延伸フィルム被覆容器。
［一般式（１）において、Ｒ1、Ｒ2、及びＲ3はそれぞれ独立して水素原子または有機基を示し、Ｘは単結合または結合鎖を示し、Ｒ4、Ｒ5、及びＲ6はそれぞれ独立して水素原子または有機基を示す。］」
　
４　引用文献６の記載等
（１）引用文献６に記載された事項
　引用文献６には、次の記載がある。
・「第１図は製造装置の一実施例を示す概念図であり、図示の如く押し出し機10のダイス10aから熱可塑性プラスチックから成る筒状のパリソン12を押し出し、このパリソン12の外側にパリソン12と同心状に筒状熱収縮性バリヤフィルム14をバリヤフィルム保持装置（図示せず）により配置保持し、このバリヤフィルム14を該フィルム14の外周を囲う位置に配置されたバリヤフィルム加熱手段18により加熱し収縮させて該バリヤフィルム14をパリソン12の外周面上に密着させ、しかる後バリヤフィルム加熱手段18を加熱位置（バリヤフィルム18の近傍にあって該フィルム18を加熱する位置）から退避させ、その後は通常のブロー成形と同様にブロービン20を上昇させ、再分割成形型22を型合せしてパリソン12の上下をシールし、ブロービン20から空気を吹き込みパリソン12を成形型の内面22aに添って膨張させてプラスチック製燃料タンクが製造される。」（３頁左下欄１〜１８行）
・「
」
（２）引用文献６に記載された発明
　引用文献６には、上記（１）に摘記したプラスチック製燃料タンクとして、以下の発明（以下、「引用発明６」という。）が記載されていると認める。
＜引用発明６＞
「押し出し機10のダイスl0aから熱可塑性プラスチックから成る筒状のパリソン12を押し出し、このパリソン12の外側にパリソン12と同心状に筒状熱収縮性バリヤフィルム14をバリヤフィルム保持装置により配置保持し、このバリヤフィルム14を該フィルム14の外周を囲う位置に配置されたバリヤフィルム加熱手段18により加熱し収縮させて該バリヤフィルム14をパリソン12の外周面上に密着させ、しかる後バリヤフィルム加熱手段18を加熱位置から退避させ、その後は通常のブロー成形と同様にブロービン20を上昇させ、再分割成形型22を型合せしてパリソン12の上下をシールし、ブロービン20から空気を吹き込みパリソン12を成形型の内面22aに添って膨張させて得られたプラスチック製燃料タンク。」
　
５　本願発明と引用発明１との対比・判断
　本願発明と引用発明１とを対比する。
　引用発明１の「フィルム」は、下記の一般式（１）（式は省略）で表される１，２−ジオール構造単位を有するＥＶＯＨ樹脂層を少なくとも１層含有する熱可塑性樹脂からなるものであるから、なんらかの収縮性を有することは明らかであり、本願発明における「容器本体の外側に密着して設けられた、収縮性をもつ材料からなる外側収縮部材」に相当する。そして、引用発明１の「フィルム」は「筒状、チューブ状」であるから、「少なくとも長手方向の一端が開口した筒状の部分を有」するものであることも自明である。
　また、引用発明１の「延伸フィルム被覆容器」におけるフィルムで覆っている容器部分が、本願発明における「容器本体」に相当し、延伸フィルム被覆容器が、プリフォームの表面に、筒状、チューブ状のフィルムをプリフォーム胴部に通して装着し、再加熱してブロー金型内で一定温度に保ちながら機械的に延伸し、同時あるいは逐次に加圧空気を吹き込んで、円周方向に膨らませることにより製造されているものであるから、引用発明１の「延伸フィルム被覆容器」は、本願発明における「容器本体および外側収縮部材は、一体として膨張された状態となっている一体ブロー成形品」であるといえるし、引用発明１の「フィルム」は、本願発明における「容器本体の外面に接着されることなく取付けられており、容器本体に対して移動又は回転しないほどに密着されている」ものであるともいえる。
　よって、引用発明１の「延伸フィルム被覆容器」は、本願発明における「複合容器」に相当する。
　してみれば、本願発明と引用発明１との間に相違点はないから、本願発明は、引用発明１、すなわち引用文献１に記載された発明である。
　また、仮に、相違点があったとしても、当業者が適宜なし得たことといえるから、本願発明は、引用文献１に記載された発明に基づいて当業者が容易に発明をすることができたものである。
６　本願発明と引用発明６との対比・判断
　本願発明と引用発明６とを対比する。
　引用発明６の「パリソン12の外側にパリソン12と同心状に筒状熱収縮性バリヤフィルム」は、本願発明における「容器本体の外側に設けられた、収縮性をもつ材料からなる外側収縮部材」に相当する。そして、引用発明６の「熱収縮性バリヤフィルム」は「筒状」であるから、「少なくとも長手方向の一端が開口した筒状の部分を有」するものであることも自明である。
　また、引用発明６の「プラスチック製燃料タンク」は、パリソン12の外側にパリソン12と同心状に筒状熱収縮性バリヤフィルム14をバリヤフィルム保持装置により配置保持し、このバリヤフィルム14を該フィルム14の外周を囲う位置に配置されたバリヤフィルム加熱手段18により加熱し収縮させて該バリヤフィルム14をパリソン12の外周面上に密着させ、しかる後バリヤフィルム加熱手段18を加熱位置から退避させ、その後は通常のブロー成形と同様にブロービン20を上昇させ、再分割成形型22を型合せしてパリソン12の上下をシールし、ブロービン20から空気を吹き込みパリソン12を成形型の内面22aに添って膨張させているから、引用発明６の「プラスチック製燃料タンク」における筒状熱収縮性バリヤフィルムで覆っている容器部分が、本願発明における「容器本体」に相当し、また、引用発明６も本願発明における「容器本体および外側収縮部材は、一体として膨張された状態となっている一体ブロー成形品」といえるし、「容器本体の外側に密着して設けられた」ものであって、「容器本体の外面に接着されることなく取付けられており、容器本体に対して移動又は回転しないほどに密着されている」との発明特定事項を有している。
　よって、引用発明６の「プラスチック製燃料タンク」は、本願発明における「複合容器」に相当する。
　してみれば、本願発明と引用発明６との間に相違点はないから、本願発明は、引用発明６、すなわち引用文献６に記載された発明である。
　また、仮に、相違点があったとしても、当業者が適宜なし得たことといえるから、本願発明は、引用文献６に記載された発明に基づいて当業者が容易に発明をすることができたものである。
　　
第４　むすび
　　
　以上のとおり、本願発明、すなわち、本願の請求項８に係る発明は、引用文献１に記載された発明又は引用文献６に記載された発明であるから、特許法第２９条第１項第３号に該当し、特許を受けることができない。また、本願の請求項８に係る発明は、引用文献１に記載された発明又は引用文献６に記載された発明に基づいて当業者が容易に発明をすることができたものであるから、特許法第２９条第２項の規定により特許を受けることができない。
　したがって、他の請求項に係る発明について検討するまでもなく、本願は拒絶されるべきものである。
　　
　よって、結論のとおり審決する。